(57)【要約】      （修正有）【課題】目的箇所に設置する際の経路決定や床面等への固定する際の煩雑さが無い４線式のテープスイッチを提供する。【解決手段】長尺テープ状に形成され、上面中央に長さ方向に沿って突条部２ａを備える絶縁外被２内に内装され、外力の作用に応じてスイッチ機能を発揮する一対の長尺の電極板３、４を備え、電極板３、４に一対の通電用の配線及び一対の動作検出配線を接続して動作させる４線式のテープスイッチ１であって、一対の電極板３、４の各他端側に各々接続するとともに、絶縁外被２の突条部２ａ内において長さ方向に沿って一体化し一端側に延在した動作検出配線用の被覆した又は導線のみからなる一対のリード線６ａ、６ｂを備える構成とした。【選択図】図２
0003142418.tif 000002
【実用新案登録請求の範囲】
【請求項１】
長尺テープ状に形成した絶縁外被内に内装され、外力の作用に応じてスイッチ機能を発揮する一対の長尺の電極板を備え、前記一対の長尺の電極板に一対の通電用の配線及び一対の動作検出配線を接続して動作させる４線式のテープスイッチであって、
前記一対の電極板の各他端側に各々接続するとともに前記絶縁外被と一体化し一端側に延在した一対の動作検出配線用リード線を備えることを特徴とする４線式のテープスイッチ。
【請求項２】
長尺テープ状に形成され、上面中央に長さ方向に沿って突条部を備える絶縁外被内に内装され、外力の作用に応じてスイッチ機能を発揮する一対の長尺の電極板を備え、前記一対の長尺の電極板に一対の通電用の配線及び一対の動作検出配線を接続して動作させる４線式のテープスイッチであって、
前記一対の電極板の各他端側に各々接続するとともに、前記絶縁外被の突条部内において長さ方向に沿って一体化し一端側に延在した動作検出配線用の被覆した又は導線のみからなる一対のリード線を備えることを特徴とする４線式のテープスイッチ。
【請求項３】
長尺テープ状に形成され、上面中央に長さ方向に沿って突条部を備える絶縁外被内に内装され、外力の作用に応じてスイッチ機能を発揮する一対の長尺の電極板を備え、前記一対の長尺の電極板に一対の通電用の配線及び一対の動作検出配線を接続して動作させる４線式のテープスイッチであって、
前記一対の電極板の各他端側に各々接続するとともに、前記絶縁外被の両端縁部上側で長さ方向に沿って一体化し一端側に延在した動作検出配線用の一対のリード線を備えることを特徴とする４線式のテープスイッチ。
【請求項４】
長尺テープ状に形成され、上面中央に長さ方向に沿って突条部を備える絶縁外被内に内装され、外力の作用に応じてスイッチ機能を発揮する一対の長尺の電極板を備え、前記一対の長尺の電極板に一対の通電用の配線及び一対の動作検出配線を接続して動作させる４線式のテープスイッチであって、
前記一対の電極板の各他端側に各々接続するとともに、前記絶縁外被の両端縁部で長さ方向に沿って一体化し一端側に延在した動作検出配線用の一対のリード線を備えることを特徴とする４線式のテープスイッチ。
【請求項５】
長尺テープ状に形成され、上面中央に長さ方向に沿って突条部を備える絶縁外被内に内装され、外力の作用に応じてスイッチ機能を発揮する一対の長尺の電極板を備え、前記一対の長尺の電極板に一対の通電用の配線及び一対の動作検出配線を接続して動作させる４線式のテープスイッチであって、
前記一対の電極板の各他端側に各々接続するとともに、前記絶縁外被の両端縁部下側で
長さ方向に沿って一体化し一端側に延在した動作検出配線用の一対のリード線を備えることを特徴とする４線式のテープスイッチ。
【請求項６】
長尺の筒状の絶縁外被内に、長尺の上部感圧導電体と、上部感圧導電体の下方を占める配置の長尺の下部第１感圧導電体及び下部第２感圧導電体とを絶縁空間を有しつつ分離配置に内装し、前記上部感圧導電体内に分離配置に一対の通電用の長尺の配線を内装して絶縁外被の一端から引き出し、前記下部第１感圧導電体及び下部第２感圧導電体内に一対の長尺の状態検出用の配線を各々内装してこれらの各他端を前記一対の配線の各他端に接続し、これらの各一端を前記絶縁外被の一端から前記通電用の長尺の配線とともに引き出した４線式長尺スイッチであって、
前記上部感圧導電体の外力作用による感圧により、又は前記下部第１感圧導電体、下部第２感圧導電体の前記上部感圧導電体を介しての感圧により各々スイッチオン機能を発揮する２重化スイッチ構成としたことを特徴とする４線式長尺スイッチ。
【考案の詳細な説明】
【技術分野】
【０００１】
本考案は、４線式のテープスイッチに関し、詳しくは、目的箇所への設置の簡略化、配線の容易化を図った４線式のテープスイッチに関するものである。
【背景技術】
【０００２】
従来のテープスイッチを使用した４線式のテープスイッチ装置の一例について、図８を参照して説明する。
この４線式のテープスイッチ装置３０は、例えば防犯監視等として使用される内部に長尺の接点機構を内装したテープスイッチ３１の一端に配線３２ａ、３２ｂを接続するとともに、他端にリレー動作用の配線３３ａ、３３ｂを接続してこれらをテープスイッチ３１から外方に導出し、配線３２ａは電流制限抵抗３５を介して電源３９に接続し、配線３２ｂの末端を接地し、更に、前記配線３３ａ、３３ｂの末端間にリレー３６のコイル３７を接続することにより構成したものである。図８中、３８はリレー３６の接点である。
【０００３】
上述した４線式のテープスイッチ装置３０において、電源３９から電流制限抵抗３５に通電すると、テープスイッチ３１がオフのときには、リレー３６のコイル３７には電流が流れて励磁されるので、接点３８はオンし、これにより、テープスイッチ３１がオフであり正常であることを示す信号を得ることができる。
【０００４】
また、テープスイッチ３１が例えば侵入者の踏圧等によりオンしたときには、前記コイル３７の両端は短絡状態となってリレー３６は無励磁に転移するので接点３８はオフに変わり、これにより、前記テープスイッチ３１がオンであることを示す信号を得ることができる。
【０００５】
次に、この４線式のテープスイッチ装置３０が動作状態であり、かつ、前記テープスイッチ３１に対する侵入者の踏圧等が無い状態において、前記配線３３ａ、３３ｂの例えば一方が断線しているような場合には、前記コイル３７の通電状態は断たれるため、リレー３６は無励磁となって接点３８はオフとなる。これにより、この４線式のテープスイッチ装置３０における断線検出を行なうことができる。
【０００６】
しかし、従来の４線式のテープスイッチ装置３０の場合、実際に防犯現場等の目的箇所に４線式のテープスイッチ装置３０を配置する場合、前記電源３９や図示しない制御装置からテープスイッチ３１までの距離は相当に大きく、特に前記テープスイッチ３１の長さが大きい場合には前記リレー動作用の配線３３ａ、３３ｂを前記配線３２ａ、３２ｂの敷設長さ以上にわたって引き戻すことが必須となる。
【０００７】
このため、防犯現場等における前記テープスイッチ３１の他端から引き戻す配線３３ａ、３３ｂの経路決定、床面等への固定、配線３３ａ、３３ｂ上を通過する各種物体からの配線保護等の種々の面で煩雑な作業を要し、場合によっては、断線検出のための配線３３ａ、３３ｂが断線してしまうというような不都合が生じていた。
【０００８】
特許文献１には、物体の圧力により一対の電極板が接触し、圧力が解放されたときに一対の電極板が離間する第１、第２のセンサ部を具備し、マット状に構成した物体検出手段を有するとともに、この第１、第２のセンサ部の劣化に起因する接触不良等の故障を電子回路を用いて検出するように構成したマットセンサが提案されている。
【０００９】
しかし、この特許文献１のマットセンサの場合も、第１、第２のセンサ部の故障を検出するための配線を相当の長さにわたって引き戻すことが必須となる。
【００１０】
【特許文献１】特許第３３４５４２５号公報
【考案の開示】
【考案が解決しようとする課題】
【００１１】
本考案が解決しようとする問題点は、目的箇所に設置する際の経路決定や床面等への固定する際の煩雑さや格別の配線保護を伴うことが無く、しかも断線検出のための配線が断線してしまうというような矛盾が生じる惧れが無い４線式のテープスイッチが存在しない点である。
【課題を解決するための手段】
【００１２】
本考案は、長尺テープ状に形成した絶縁外被内に内装され、外力の作用に応じてスイッチ機能を発揮する一対の長尺の電極板を備え、前記一対の長尺の電極板に一対の通電用の配線及び一対の動作検出配線を接続して動作させる４線式のテープスイッチであって、前記一対の電極板の各他端側に各々接続するとともに前記絶縁外被と一体化し一端側に延在した一対の動作検出配線用リード線を備えることを最も主要な特徴とする。
【考案の効果】
【００１３】
請求項１記載の考案によれば、動作検出配線に、絶縁外被内に内装したリード線を接続する構成としているので、従来例のような戻し用の配線の経路決定や床面等への固定する際の煩雑さ、更には格別の配線保護を伴うことが無く、しかも断線検出のための戻し配線が断線してしまうというような矛盾が生じる惧れが無い４線式のテープスイッチを提供することができる。
【００１４】
請求項２記載の考案によれば、動作検出配線に、絶縁外被の突条部内に配置したリード線を接続する構成としているので、請求項１記載の考案と同様、従来例のような戻し用の配線の経路決定や床面等への固定する際の煩雑さ、更には格別の配線保護を伴うことが無く、しかも断線検出のための戻し配線が断線してしまうというような矛盾が生じる惧れが無い４線式のテープスイッチを提供することができる。
【００１５】
請求項３記載の考案によれば、動作検出配線に、絶縁外被の両端縁部上側に沿って配置したリード線を接続する構成としているので、請求項１記載の考案と同様、従来例のような戻し用の配線の経路決定や床面等への固定する際の煩雑さ、更には格別の配線保護を伴うことが無く、しかも断線検出のための戻し配線が断線してしまうというような矛盾が生じる惧れが無い４線式のテープスイッチを提供することができる。
【００１６】
請求項４記載の考案によれば、動作検出配線に、絶縁外被の両端縁部に沿って配置したリード線を接続する構成としているので、請求項１記載の考案と同様、従来例のような戻し用の配線の経路決定や床面等への固定する際の煩雑さ、更には格別の配線保護を伴うことが無く、しかも断線検出のための戻し配線が断線してしまうというような矛盾が生じる惧れが無い４線式のテープスイッチを提供することができる。
【００１７】
請求項５記載の考案によれば、動作検出配線に、絶縁外被の両端縁部下側に沿って配置したリード線を接続する構成としているので、請求項１記載の考案と同様、従来例のような戻し用の配線の経路決定や床面等への固定する際の煩雑さ、更には格別の配線保護を伴うことが無く、しかも断線検出のための戻し配線が断線してしまうというような矛盾が生じる惧れが無い４線式のテープスイッチを提供することができる。
【００１８】
請求項６記載の考案によれば、長尺の上部感圧導電体、この上部感圧導電体の下方を占める配置の長尺の下部第１感圧導電体及び下部第２感圧導電体、上部感圧導電体内に内装した一対の通電用の長尺の配線、前記下部第１感圧導電体及び下部第２感圧導電体内に内装した一対の長尺の状態検出用の配線、これらを包囲する絶縁外被を具備し、かつ、２重化スイッチ構成としているので、目的箇所に設置する際の経路決定や床面等への固定する際の煩雑さや格別の配線保護を伴うことが無く、しかも断線検出のための配線が断線してしまうというような矛盾が生じる惧れがなく、更に、スイッチ動作の冗長性監視をも可能とする４線式スイッチを提供することができる。
【考案を実施するための最良の形態】
【００１９】
本考案は、目的箇所に設置する際の経路決定や床面等への固定する際の煩雑さや格別の配線保護を伴うことが無く、しかも断線検出のための配線が断線してしまうというような矛盾が生じる惧れが無い４線式のテープスイッチを提供するという目的を有するものである。
【００２０】
本考案は、長尺テープ状に形成され、上面中央に長さ方向に沿って突条部を備える絶縁外被内に内装され、外力の作用に応じてスイッチ機能を発揮する一対の長尺の電極板を備え、前記一対の長尺の電極板に一対の通電用の配線及び一対の動作検出配線を接続して動作させる４線式のテープスイッチであって、前記一対の電極板の各他端側に各々接続するとともに、前記絶縁外被の突条部内において長さ方向に沿って一体化し一端側に延在した動作検出配線用の被覆した又は導線のみからなる一対のリード線を備える構成により上記目的を実現した。
【実施例】
【００２１】
以下に、本考案の実施例に係る４線式のテープスイッチについて詳細に説明する。
【００２２】
（実施例１）
図１、図２を参照して本考案の実施例１に係る４線式のテープスイッチ１について説明する。
【００２３】
本実施例１に係る４線式のテープスイッチ１は、図１、図２、図３に示すように、長尺テープ状で、かつ、断面が薄形長方形状に形成され、上面中央に長さ方向に沿って突条部２ａを備える絶縁外被２と、この絶縁外被２内で、かつ、前記突条部２ａの下側位置に上下配置に内装され、外力の作用に応じてスイッチ機能を発揮する一対の長尺の電極板３、４と、一対の長尺の電極板３、４の一端に接続した一対の被覆した通電用の配線５ａ、５ｂと、を有している。
【００２４】
前記絶縁外被２の下面（底面）側は、下側の電極板４を支持するベース板として機能するように構成している。
【００２５】
本実施例１に係る４線式のテープスイッチ１は、更に、図３にも示すように、前記一対の電極板３、４の各他端側に各々端部を接続するとともに、前記絶縁外被２の突条部２ａ内において長さ方向に沿って例えば一体成形により一体化し、一端側に延在した動作検出配線用の被覆した又は導線のみからなる一対のリード線６ａ、６ｂを備えている。
【００２６】
この一対のリード線６ａ、６ｂの一端側の端部は、例えばリレー動作用の一対の動作検出配線７ａ、７ｂに接続し、前記通電用の配線５ａ、５ｂと、動作検出配線７ａ、７ｂとを一括して図示しない前記テープスイッチ１用の制御装置に接続するようになっている。
【００２７】
本実施例１に係る４線式のテープスイッチ１によれば、上述したように、前記絶縁外被２の突条部２ａ内に、前記一対の電極板３、４の各他端側に各々端部を接続し、一端側に延在してこの一端側において動作検出配線７ａ、７ｂに接続した被覆した又は導線のみからなる一対のリード線６ａ、６ｂを備えるものである。
【００２８】
従って、前記テープスイッチ１を設置した箇所において、従来例のようにテープスイッチ１とは別にこのテープスイッチ１の他端から一端に至る長さに相当する戻し用の配線を敷設することが全く不要となる。これにより、戻し用の配線の経路決定や床面等への固定する際の煩雑さ、更には格別の配線保護を伴うことが無く、しかも断線検出のための戻し配線が断線してしまうというような矛盾が生じる惧れが無い４線式のテープスイッチ１を実現できる。
【００２９】
（実施例２）
図４を参照して本考案の実施例２に係る４線式のテープスイッチ１Ａについて説明する。なお、この４線式のテープスイッチ１Ａにおいて実施例１に係る４線式のテープスイッチ１の場合と同一の要素には同一の符号を付して示す。
【００３０】
本実施例２に係る４線式のテープスイッチ１Ａは、基本的構成は実施例１に係る４線式のテープスイッチ１の場合と略同様であるが、図４に示すように、実施例１の場合と同様な配線構成からなる動作検出配線用の被覆した（又は導線のみからなり絶縁外被２により包囲した）一対のリード線６ａ、６ｂを前記絶縁外被２の両端縁部上側で長さ方向に沿って例えば一体成形により一体化し一端側に延在したことが特徴である。
【００３１】
本実施例２によれば、実施例１の４線式のテープスイッチ１の場合と同様、戻し用の配線の経路決定や床面等への固定する際の煩雑さ、更には格別の配線保護を伴うことが無く、しかも断線検出のための戻し配線が断線してしまうというような矛盾が生じる惧れが無い４線式のテープスイッチ１Ａを実現できる。
【００３２】
加えて、本実施例２に係る４線式のテープスイッチ１Ａによれば、一対のリード線６ａ、６ｂを前記絶縁外被２の両端縁部上側で長さ方向に沿って配置しているので、この一対のリード線６ａ、６ｂの部分を踏み圧等の外力が作用する前記突条部２ａの押し込みストッパーとして機能させることができる。
【００３３】
（実施例３）
図５を参照して本考案の実施例３に係る４線式のテープスイッチ１Ｂについて説明する。なお、この４線式のテープスイッチ１Ｂにおいて実施例１に係る４線式のテープスイッチ１の場合と同一の要素には同一の符号を付して示す。
【００３４】
本実施例３に係る４線式のテープスイッチ１Ｂは、基本的構成は実施例１に係る４線式のテープスイッチ１の場合と略同様であるが、図５に示すように、実施例１の場合と同様な配線構成からなる動作検出配線用の被覆した（又は導線のみからなり絶縁外被２により包囲した）一対のリード線６ａ、６ｂを前記絶縁外被２の両端縁部で長さ方向に沿って一体化し一端側に延在したことが特徴である。
【００３５】
本実施例３によれば、実施例１の４線式のテープスイッチ１の場合と同様、戻し用の配線の経路決定や床面等への固定する際の煩雑さ、更には格別の配線保護を伴うことが無く、しかも断線検出のための戻し配線が断線してしまうというような矛盾が生じる惧れが無い４線式のテープスイッチ１Ｂを実現できる。
【００３６】
（実施例４）
図６を参照して本考案の実施例４に係る４線式のテープスイッチ１Ｃについて説明する。なお、この４線式のテープスイッチ１Ｃにおいて実施例１に係る４線式のテープスイッチ１の場合と同一の要素には同一の符号を付して示す。
【００３７】
本実施例４に係る４線式のテープスイッチ１Ｃは、基本的構成は実施例１に係る４線式のテープスイッチ１の場合と略同様であるが、図６に示すように、実施例１の場合と同様な配線構成からなる動作検出配線用の被覆した（又は導線のみからなり絶縁外被２により包囲した）一対のリード線６ａ、６ｂを、前記絶縁外被２の両端縁部下側で長さ方向に沿って一体化し一端側に延在したことが特徴である。
【００３８】
本実施例４によれば、実施例１の４線式のテープスイッチ１の場合と同様、戻し用の配線の経路決定や床面等への固定する際の煩雑さ、更には格別の配線保護を伴うことが無く、しかも断線検出のための戻し配線が断線してしまうというような矛盾が生じる惧れが無い４線式のテープスイッチ１Ｃを実現できる。
【００３９】
（実施例５）
図７を参照して本考案の実施例５に係る４線式長尺スイッチ１Ｄについて説明する。
【００４０】
本実施例５に係る４線式長尺スイッチ１Ｄは、長尺の筒状の絶縁外被２４内に、下部を山形状に凹陥させた長尺の例えばシリコンにカーボンブラックを混ぜて形成した感圧導電ゴムからなる上部感圧導電体２５と、この上部感圧導電体２５の下方を占める配置の断面略三角形状の長尺の例えば感圧導電ゴムからなる下部第１感圧導電体２６及び断面略三角形状の下部第２感圧導電体２７とを絶縁空間２８を有しつつ分離配置に内装している。
【００４１】
前記上部感圧導電体２５内に分離配置に一対の通電用の長尺の配線２９ａ、２９ｂを内装して絶縁外被２４の一端から引き出し、前記下部第１感圧導電体２６及び下部第２感圧導電体２７内に一対の長尺の状態検出用の配線２９ｃ、２９ｄを各々内装してこれらの各他端を前記一対の配線２９ａ、２９ｂの各他端に接続し、更に、これらの各一端を前記絶縁外被２４の一端から前記通電用の長尺の配線２９ａ、２９ｂとともに引き出して２重化スイッチ構成としたものである。前記配線２９ａ、２９ｂの上部感圧導電体２５への内装部分は露出配線、その他の部分は被覆配線としている。前記配線２９ｃ、２９ｄについても同様である。
【００４２】
前記一対の通電用の配線２９ａ、２９ｂの内の一方の配線２９ａの末端は従来例で述べた場合と同様、電流制限抵抗を介して電源に接続される。また、他方の配線２９ｂの末端は、従来例で述べた場合と同様、接地される。
【００４３】
前記一対の状態検出用の配線２９ｃ、２９ｂは、従来例で述べた場合と同様、リレーのコイルに接続される。
【００４４】
本実施例５に係る４線式長尺スイッチ１Ｄは、上述したように、上部感圧導電体２５内に通電用の長尺の配線２９ａ、２９ｂを内装し、上部感圧導電体２５の外力作用による感圧導電作用によって前記配線２９ａ、２９ｂをスイッチ電極として機能させ、また、前記下部第１感圧導電体２６、下部第２感圧導電体２７の前記上部感圧導電体２５の変形接触に伴う感圧により前記状態検出用の配線２９ｃ、２９ｄもスイッチ電極として機能させる２重化スイッチ構成としたものである。
【００４５】
本実施例５に係る４線式長尺スイッチ１Ｄによれば、この４線式長尺スイッチ１Ｄを実際に防犯現場等の目的箇所に配置するに際して、仮に図示しない電源や制御装置から４線式長尺スイッチ１Ｄまでの距離が相当に大きい場合でも、一対の配線２９ａ、２９ｂと一対の状態検出用の配線２９ｃ、２９ｄとを一括しての配線工事を行なうだけで済み、従来例のような状態検出用の配線を制御装置の存在位置まで別途引き戻すことが不要となる。
【００４６】
これにより、防犯現場等における配線経路決定の簡略化、床面等への配線固定の容易化を実現できる。
【００４７】
更に、前記状態検出用の配線２９ｃ、２９ｄを絶縁外被２４内に内装しているので、断線検出のための配線が断線してしまうというような不都合な事態が生じることは皆無となる。
【００４８】
加えて、本実施例５に係る４線式長尺スイッチ１Ｄによれば、上述した２重化スイッチ構成によって、前記絶縁外被２４内に配置した配線２９ｃ、２９ｄもスイッチ用電極として機能することから、スイッチ動作の冗長性監視も可能となる。
【産業上の利用可能性】
【００４９】
本考案の４線式のテープスイッチは、窓、塀等に設置する防犯用、駐車場の入出車監視用等として広範に適用可能である。
【図面の簡単な説明】
【００５０】
【図１】本考案の実施例１に係る４線式のテープスイッチの一部を断面として示す概略斜視図である。
【図２】本実施例１に係る４線式のテープスイッチの概略断面図である。
【図３】本実施例１に係る４線式のテープスイッチの概略等価回路図である。
【図４】本考案の実施例２に係る４線式のテープスイッチの概略断面図である。
【図５】本考案の実施例３に係る４線式のテープスイッチの概略断面図である。
【図６】本考案の実施例４に係る４線式のテープスイッチの概略断面図である。
【図７】本考案の実施例４に係る４線式のテープスイッチの概略断面図である。
【図８】従来の４線式のテープスイッチの概略等価回路図である。
【符号の説明】
【００５１】
１    テープスイッチ
１Ａ  テープスイッチ
１Ｂ  テープスイッチ
１Ｃ  テープスイッチ
１Ｄ  テープスイッチ
２    絶縁外被
２ａ  突条部
３    電極板
４    電極板
５ａ  配線
５ｂ  配線
６ａ  リード線
６ｂ  リード線
７ａ  動作検出配線
７ｂ  動作検出配線
２４    絶縁外被
２５    上部感圧導電体
２６    下部第１感圧導電体
２７    下部第２感圧導電体
２８    絶縁空間
２９ａ  配線
２９ｂ  配線
２９ｃ  状態検出用の配線
２９ｄ  状態検出用の配線
【図１】
0003142418.tif 000003
【図２】
0003142418.tif 000004
【図３】
0003142418.tif 000005
【図４】
0003142418.tif 000006
【図５】
0003142418.tif 000007
【図６】
0003142418.tif 000008
【図７】
0003142418.tif 000009
【図８】
0003142418.tif 000010